(57)【要約】【課題】送信器から送信された制御信号が照明装置の所望の動作を制御する制御信号と異なることを容易に認識することができる照明装置を提供する。【解決手段】照明装置１００は、光源モジュール３と、リモコン送信器１０から送信された制御信号を受信するリモコン受信部３４と、前記制御信号に基いて光源の点灯状態、照明装置の移動等の動作を制御する制御用マイクロコンピュータ８７と、リモコン受信部３４が所望の動作を制御する制御信号と異なる制御信号を受信した場合、リモコン受信部３４が該異なる制御信号を受信したことを報知する報知手段と、を備えてなる。これにより、使用者は、リモコン送信器１０の操作により照明装置１００が所望の動作をしない原因がリモコン送信器１０または照明装置１００の故障によるものではなく、リモコン送信器１０から前記異なる制御信号を送信したためであることを認識できる。【選択図】図８
2012221624.tif 000002
【特許請求の範囲】
【請求項１】
光源と、
送信器から送信された制御信号を受信する受信部と、
前記制御信号に基いて、前記光源の点灯状態、照明装置の移動等の動作を制御する制御部と、
前記受信部が所望の動作を制御する制御信号と異なる制御信号を受信した場合、該受信部が該異なる制御信号を受信したことを報知する報知手段と
を備えてなることを特徴とする照明装置。
【請求項２】
前記制御部は、前記制御信号が動作させる照明装置を指定する指定情報が設定された設定部を備え、
前記異なる制御信号は、前記設定部に設定された前記指定情報と異なる指定情報を指定する制御信号であることを特徴とする請求項１に記載の照明装置。
【請求項３】
前記異なる制御信号は、前記光源を点灯させるための点灯信号を含むことを特徴とする請求項２に記載の照明装置。
【請求項４】
前記報知手段は、前記受信部が前記光源の点灯以外の動作をさせるための信号を含む前記異なる制御信号を受信した場合、報知しないことを特徴とする請求項３に記載の照明装置。
【請求項５】
前記報知手段は、前記光源が点灯しているときには報知しないことを特徴とする請求項１から４のいずれか１項に記載の照明装置。
【請求項６】
前記指定情報は、所定のチャンネル番号により規定され、
前記報知手段は、前記設定部に設定されたチャンネル番号を報知することを特徴とする請求項２から５のいずれか１項に記載の照明装置。
【請求項７】
前記報知手段は、前記光源の点滅動作であることを特徴とする請求項１から６のいずれか１項に記載の照明装置。
【請求項８】
前記報知手段は、前記光源を前記チャンネル番号の数字と同一回数点滅動作させることを特徴とする請求項６に記載の照明装置。
【請求項９】
電球型照明装置であることを特徴とする請求項１から８のいずれか１項に記載の照明装置。
【発明の詳細な説明】
【技術分野】
【０００１】
本発明は、送信器から送信される制御信号に基いて、光源の点灯状態、照明装置の移動等の動作を制御する照明装置に関する。
【背景技術】
【０００２】
従来から、ワイヤレスリモコン等の送信器から送信される制御信号を受信して点灯状態の制御を行う照明装置が提案されている。さらに、複数のチャンネルを有するチャンネル切替スイッチによるチャンネルの選択によって、複数の照明装置を１つの送信機で個別に制御することが可能な照明装置が提案されている（例えば特許文献１）。
【０００３】
特許文献１に記載の照明装置は、２つのチャンネルを備えるチャンネル切り替えスイッチを設けられたソケットアダプタに電球型蛍光ランプが取り付けられた構成となっている。そして、送信機から送信される制御信号が、選択した前記スイッチのチャンネルに対応する制御信号と一致するときのみ電球型蛍光ランプを点灯および消灯をすることが可能となる。これにより、前記スイッチを照明装置ごとに異なるチャンネルを選択することで、１つの送信機で複数の照明装置を個別に制御することが可能となる。
【先行技術文献】
【特許文献】
【０００４】
【特許文献１】特開２００９−２０６０５４号公報
【発明の概要】
【発明が解決しようとする課題】
【０００５】
しかしながら、特許文献１に記載の照明装置では、送信器から送信される制御信号が、照明装置に設定されているチャンネルに対応する制御信号と一致しない場合、例えば、チャンネル１が選択された照明装置に対してチャンネル２に対応する制御信号を送信器から送信した場合、照明装置の点灯および消灯等の遠隔制御は不可能であり、照明装置は動作しない。
【０００６】
また、通常照明装置は天井等の使用者から離れた位置に設置されていることが多く、たとえチャンネル切り換えスイッチが照明装置の本体に設けられていたとしても、前記スイッチのチャンネル選択状態が視認しにくい場合がある。
【０００７】
従って、使用者は送信機により照明装置の制御ができない原因が、送信器の制御信号が照明装置に設定されているチャンネルに対応する制御信号と異なるためであることを認識することができず、送信器または照明装置の故障によるものであると誤認する虞がある。
【０００８】
本発明は斯かる事情に鑑みてなされたものであり、照明装置の所望の動作を制御する制御信号が送信器から送信されなかったことを容易に認識することができる照明装置を提供することを目的とする。
【課題を解決するための手段】
【０００９】
本発明に係る照明装置は、光源と、送信器から送信された制御信号を受信する受信部と、前記制御信号に基いて、前記光源の点灯状態、照明装置の移動等の動作を制御する制御部と、前記受信部が所望の動作を制御する制御信号と異なる制御信号を受信した場合、該受信部が該異なる制御信号を受信したことを報知する報知手段とを備えてなることを特徴とする。
【００１０】
本発明によれば、前記受信部が所望の動作を制御する制御信号と異なる制御信号を受信した場合、該受信部が該異なる制御信号を受信したことを報知する報知手段を備える。これにより、使用者は、送信器の操作により照明装置が所望の動作をしない原因が送信器または照明装置の故障によるものではなく、送信器から前記異なる制御信号を送信したためであることを認識できる。異なる制御信号を送信したことを認識した使用者は、所望の動作を制御する制御信号を送信すべく設定を変更することで送信器にて所望の制御することが可能となる。
【００１１】
また本発明に係る照明装置は、前記制御部は、前記制御信号が動作させる照明装置を指定する指定情報が設定された設定部を備え、前記異なる制御信号は、前記設定部に設定された前記指定情報と異なる指定情報を指定する制御信号であることを特徴とする。
【００１２】
本発明によれば、照明装置の設定部に設定されたリモコンチャンネル等の指定情報と異なる指定情報を指定する制御信号を送信したことを使用者に報知することが可能である。これにより使用者は、直ちに指定情報または指定情報を指定する制御信号の設定を正しく変更することで送信器にて所望の動作を制御することが可能となる。
【００１３】
また本発明に係る照明装置は、前記異なる制御信号は、前記光源を点灯させるための点灯信号を含むことを特徴とする。
【００１４】
照明装置の光源を点灯させる点灯信号を送信する際、使用者は照明装置が使用されていない消灯状態から照明装置を点灯させる場合であるので、照明装置を動作させるために設定されたチャンネル等の指定情報を予め把握していない場合が多い。従って、本発明によれば、送信器から送信される、点灯信号を含む異なる制御信号により報知手段を動作させることで、より高い確率で使用者に異なる制御信号を送信したことを認識させることができる。
【００１５】
また本発明に係る照明装置は、前記報知手段は、前記受信部が前記光源の点灯以外の動作をさせるための信号を含む前記異なる制御信号を受信した場合、報知しないことを特徴とする。
【００１６】
仮に点灯信号以外の動作信号を含む前記異なる制御信号にて報知手段が報知するように設定されている場合、設定されたチャンネルが異なる照明装置を制御しようとして送信された点灯信号以外の動作をさせるための信号を受信部が誤受信したときに、報知手段が不必要に報知することになり、使用者に煩わしさを与える。本発明によれば、点灯以外の動作をさせるための信号を受信した場合、報知しないことで上記不要な報知を低減できる。
【００１７】
また本発明に係る照明装置は、前記報知手段は、前記光源が点灯しているときには報知しないことを特徴とする。
【００１８】
本発明によれば、報知手段は、光源が点灯しているときには報知しない。点灯しているときには、一度送信器の操作にて所望の動作を制御した後である場合が多いので異なる制御信号を受信したことを報知する必要性が低いと考えられる。また、少なくとも照明装置の点灯中は、設定されたチャンネルが異なる照明装置を制御しようとして送信された制御信号を受信部が誤受信したときであっても、報知手段が不必要に報知することを防止することができる。
【００１９】
また本発明に係る照明装置は、前記指定情報は、所定のチャンネル番号により規定され、前記報知手段は、前記設定部に設定されたチャンネル番号を報知することを特徴とする。
【００２０】
本発明によれば、報知手段は、前記設定部に設定されたチャンネル番号を報知する。これにより、使用者は瞬時に照明装置のチャンネル番号を認識して、直ちに照明装置１００のチャンネルか送信器の制御信号の設定を、照明装置を所望の動作をさせるために正しく変更することができる。
【００２１】
また本発明に係る照明装置は、前記報知手段は、前記光源の点滅動作であることを特徴とする。
【００２２】
本発明によれば、報知手段は光源の点滅動作であるので、新たに報知手段用の光源や他の部品を備える必要がないので、小型化および部品点数増加防止によるコスト削減に寄与する。
【００２３】
また本発明に係る照明装置は、前記報知手段は、前記光源を前記チャンネル番号の数字と同一回数点滅動作させることを特徴とする。
【００２４】
本発明によれば、光源をチャンネル番号の数字と同一回数点滅させることで、簡易な構成で使用者に照明装置の設定部に設定されたチャンネル番号を報知することが可能となる。
【００２５】
また本発明に係る照明装置は、電球型照明装置であることを特徴とする。
【００２６】
電球型照明装置のような、小型であるためディスプレイなどの表示装置も設けることが難しく、しかも天井等の使用者から離れた位置に取り付けられるためにチャンネル等の指定情報が視認して容易に確認できない照明装置であっても、異なる制御信号を受信したことを報知できるので、電球型照明装置である場合に特に有効である。
【発明の効果】
【００２７】
本発明によれば、送信器から送信された制御信号が照明装置の所望の動作を制御する制御信号と異なることを容易に認識することが可能となる。
【図面の簡単な説明】
【００２８】
【図１】本発明の実施の形態に係る照明装置の外観図である。
【図２】図１の照明装置の分解斜視図である。
【図３】光源モジュールを実装した光源実装部の平面図である。
【図４】図２の電源回路の構成を示すブロック図である。
【図５】本発明の実施の形態に係るリモコン送信器から送信される制御信号のデータコードの一例を示す図である。
【図６】本発明の実施の形態に係るリモコン送信器を示す図である。
【図７】図５のメモリに設定されるチャンネルの切り替え動作を示すフロー図である。
【図８】図５に示すリモコン送信器による照明装置の制御の一例を示すフロー図である。
【図９】リモコン送信器による照明装置の制御の他の例を示すフロー図である。
【図１０】本発明に係る照明装置が、点灯信号を含む制御信号を受信した場合の動作を示すフロー図である。
【発明を実施するための形態】
【００２９】
以下、本発明に係る照明装置の実施形態について、図面を用いて説明する。
【００３０】
図１は本発明の実施の形態に係る照明装置１００の外観図である。また、図２は図１の照明装置１００の分解斜視図である。また、図３は、光源モジュール３を実装した光源実装部５１の平面図である。
【００３１】
図１から図３に示すように、照明装置１００は、照明光を拡散して透過するカバー１と、照明光を出射する照明装置１００の光源としての光源モジュール３と、光源モジュール３に電力を供給する電源回路８と、光源３および電源回路８等の熱源からの熱を放熱するヒートシンク５と、光源モジュール３をヒートシンク５に保持する樹脂リング２と、外部の商用電源のソケットに接続され電源回路８に電力を供給する口金７と、ヒートシンク５と口金７とを電気的に絶縁して連結する絶縁リング６とを備える。
【００３２】
図１に示すように、ヒートシンク５のカバー１側の一端には、光源モジュール３を実装する光源実装部５１を設けてある。図３は光源モジュール３を実装した光源実装部５１の平面図を示す。
【００３３】
ヒートシンク５は、カバー１側の一端から口金７側の他端にかけて断面の径が小さくなる筒形状をなし、内部に空洞を有し、該空洞には電源回路８が収容されてある。電源回路８には電源線８１，８２が設けられてあり、夫々電源回路８と、光源モジュール３および口金７とを接続してある。電源線８１により電源回路８から光源モジュール３に電力が供給され、電源線８２により口金７から電源回路８に電力が供給される。
【００３４】
光源実装部５１は、図２に示すように、円板状をなし、カバー１側の面には図３に示す熱伝導シート９を介して光源モジュール３が不図示のネジ等により取り付けられてある。ヒートシンク５及び光源実装部５１は、アルミニウム等の軽量で熱伝導性の良好な金属製材料からなる。光源モジュール３からの熱は、光源実装部５１を介してヒートシンク５に伝導されてヒートシンク５から放熱されるか、光源実装部５１から直接放熱される。なお、光源実装部５１は、ヒートシンク５と一体的に形成されてあるが、ヒートシンク５と別体の円板部材を光源実装部５１としてヒートシンク５の一端にネジやかしめにより取り付けて形成してもよい。
【００３５】
絶縁リング６は、金属製のヒートシンク５および口金７を電気的に絶縁して連結すべく設けられる。絶縁リング６は電源回路８を保持して電源回路８をヒートシンク５内部に収容する保持部材としても機能する。具体的には、絶縁リング６のヒートシンク５側の一端の内壁には電源回路８の電源基板８ａを嵌合して保持する嵌合溝６１が形成されてあり、該嵌合溝６１により電源回路８を保持することが可能となる。また、絶縁リング６の口金７側の他端の外周面には口金の内周面と螺合して接続する螺合部６２が形成されてある。
【００３６】
カバー１は、乳白色のポリカーボネート等の合成樹脂製であって、光源モジュール３からの照明光を拡散する拡散材を含有する。カバー１により、後述するＬＥＤ３１からの指向性の強い光を拡散して均一で広配光の照明光を得ることができる。なお、本実施形態ではカバー１は合成樹脂製であるが、カバー１を構成する材料はこれ限定されるものではなく、ガラス製であってもよいし、光拡散作用を有さない透明な材料から形成されていてもよい。
【００３７】
光源モジュール３は、図２に示すように、光源としてのＬＥＤ３１およびＬＥＤ３１を実装するアルミニウム合金やセラミックスなどからなる円板状のＬＥＤ基板３２を備える。また、ＬＥＤ基板３２の中央には、後述するリモコン受信部３４を挿通して配置させる開口部３３が設けられてある。
【００３８】
ＬＥＤ３１は、例えば、ＬＥＤ素子と、該ＬＥＤ素子を封止し、蛍光体が分散された封止樹脂と、入力端子及び出力端子とを備えてなる表面実装型ＬＥＤである。ＬＥＤ３１は、ＬＥＤ基板３２の開口部３３の周囲に適長間隔を空けて６個実装されてある。ＬＥＤ３１の実装個数は６個には限定されない。なお、光源としてのＬＥＤは表面実装型ＬＥＤに限らず、基板に実装した複数のＬＥＤチップを蛍光体を含有した樹脂で封止したチップオンボード型ＬＥＤであってもよい。また、本発明に係る照明装置の光源はＬＥＤに限らず、ＥＬ（Electro-Luminescence）、蛍光ランプ等他の光源であってもよい。
【００３９】
次に、図４を用いて電源回路８の構成について説明する。図４は電源回路８の構成を示すブロック図である。電源回路８は、商用電源などから侵入してくるノイズを除去するノイズフィルタ回路８３、交流電圧を整流して直流電圧に変換する整流回路８４、整流回路８４から入力された直流電圧を所要の直流電圧に変換するＤＣ／ＤＣコンバータ８５、ＤＣ／ＤＣコンバータ８５から出力された直流電圧に対してパルス幅変調を行うことでＬＥＤモジュール３に供給する電流を制御するＰＷＭ制御回路８６、電源回路８の制御を行う制御部としての制御用マイクロコンピュータ８７、ＬＥＤモジュール３に印加される電圧を検出する電圧検出回路８８、ＬＥＤモジュール３に流れる電流を検出する電流検出回路８９などを備える。
【００４０】
また、後述するリモコン送信器１０からの制御信号を受信する受信部としてのリモコン受信部３４はリモコン送信器１０に内蔵された赤外線ＬＥＤ１８からの赤外線を受信し、該赤外線から制御信号を抽出し、抽出した制御信号を制御用マイクロコンピュータ８７へ出力する。
【００４１】
図５は後述するリモコン送信器１０から送信される制御信号のデータコードの一例を示す図である。データコードは、Ｄ０（事業区分コード）、Ｄ1（品種区分コード）、Ｄ２（動作信号コード）、Ｄ３（チャンネル指定コード）などを含む。Ｄ０の事業区分コードは、例えば企業の事業本部コードを表すデータであり、Ｄ１の品種区分コードは、商品のカテゴリを表すデータである。
【００４２】
また、Ｄ３のチャンネル指定コードは、動作させる照明装置を指定するための指定信号としてのデータであり、Ｄ２の動作信号コードは、上記指定信号にて指定した照明装置を動作させる動作信号としてのデータである。
【００４３】
照明装置１００を動作させる動作信号は、例えば光源モジュール３を点灯させる点灯信号、光源モジュール３を消灯させる消灯信号、光源モジュール３から出射する照明光の光量を調整する調光信号、前記照明光の光色を調整する調色信号などである。なお、動作信号は、上記光源モジュール３の点灯状態を制御する信号のみならず、照明装置１００が吊下げ式の照明装置の場合、照明装置本体１００本体を昇降動作させる信号等の、照明装置１００の移動を制御する動作信号、照明装置１００の動作をタイマーで制御するための動作信号であってもよい。
【００４４】
また、制御用マイクロコンピュータ８７は、制御信号の指定信号が指定する指定情報としてのチャンネルが設定された設定部としてのメモリ８７１を備える。制御信号は、指定信号にてメモリ８７１に設定されたチャンネルを指定することで、動作させる照明装置を指定し、指定した照明装置を動作信号にて点灯、消灯等の動作を制御する。
【００４５】
より具体的には、リモコン受信部３４が受信した制御信号に含まれる指定信号が指定するチャンネルと、メモリ８７１に設定されたチャンネルとが一致するときに、制御用マイクロコンピュータ８７は制御信号に含まれる動作信号に基いて照明装置１００の動作を制御する。また、前記指定信号が指定するチャンネルと、メモリ８７１に設定されたチャンネルとが異なるときには制御用マイクロコンピュータ８７は制御信号に含まれる動作信号に基き照明装置１００の動作を制御しない。すなわち、使用者が意図する照明装置１００の所望の動作を制御させない。
【００４６】
制御用マイクロコンピュータ８７は、リモコン受信部３４から受信した制御信号の指定信号が指定するチャンネルと、メモリ８７１に設定されたチャンネルとが一致するときに、該制御信号の動作信号に基いて、光源モジュール３の点灯、消灯、調光、調色等の動作を制御するための制御信号をＤＣ／ＤＣコンバータ８５およびＰＷＭ制御回路８６へ出力して照明の動作を制御する。
【００４７】
また、制御用マイクロコンピュータ８７は、電圧検出回路８８および電流検出回路８９から検出された検出結果に基いて、光源モジュール３を所定の点灯状態で維持するための制御信号をＤＣ／ＤＣコンバータ８５およびＰＷＭ制御回路８６へ出力する。
【００４８】
ＰＷＭ制御回路は、制御用マイクロコンピュータ８７から出力された制御信号を取得し、取得した制御信号に応じたＰＷＭ制御を光源モジュール３に対して行う。
【００４９】
次に、図６に示す本発明の実施の形態に係る送信機としてのリモコン送信器１０について説明する。
【００５０】
リモコン送信器１０は、指定信号と該指定信号が指定するチャンネルが設定された照明装置１００を動作させる動作信号とを含む制御信号を送信する。リモコン送信器１０は、光源モジュール３を点灯させる点灯信号を含む制御信号を送信させる「入」スイッチ１１、光源モジュール３を消灯させる消灯信号を含む制御信号を送信させる「切」スイッチ１２、制御信号に含まれる指定信号が指定するチャンネルを切り替えるためのリモコンチャンネル切替スイッチ１３、人感センサ１４、人感動作切替スイッチ１５、表示用ＬＥＤ１６、照明装置１００に対して調光、調色などの、点灯および消灯以外のその他の動作をさせる動作信号を送信させるその他のスイッチ１７、および上記制御信号を出力する赤外線ＬＥＤ１８等を備える。
【００５１】
リモコン送信器１０は、指定信号が異なる複数の制御信号をリモコンチャンネル切替スイッチ１３にて切り替えて送信することが可能である。具体的には、リモコンチャンネル切替スイッチ１３は、図６のＣＨ１の位置にスイッチのつまみをスライドさせて合わせることで、制御用マイクロコンピュータ８７のメモリ８７１にチャンネル１が設定された照明装置１００を指定して動作させる制御信号を送信することが可能となる。つまり、ＣＨ１の位置にリモコンチャンネル切替スイッチ１３を合わせることで、リモコン送信機１０はチャンネル１を指定する指定信号を含む制御信号を送信することができる。
【００５２】
従って、メモリ８７１にチャンネル１が設定された照明装置１００に対して、リモコンチャンネル切替スイッチ１３のつまみをスライドさせてＣＨ２に合わせた状態でリモコン送信器１０を操作して制御信号を送信しても、点灯、消灯、調光等の所望の動作を制御することはできない。
【００５３】
なお、リモコン送信器１０は、リモコンチャンネル切替スイッチ１３により、チャンネル１〜３の３種類の指定情報を夫々指定する指定信号を含む制御信号に切り替えることが出来るようにしてあるが、リモコンチャンネル切替スイッチ１３による指定信号の切り替えは３種類には限定されず、２種類や４種類以上であってもよい。
【００５４】
実施の形態に係る照明装置１００は、リモコン送信器１０のリモコンチャンネル切替スイッチ１３による指定信号の切り替えに合わせて、メモリ８７１に設定するチャンネルを、チャンネル１〜３のいずれかに切り替え可能である。これにより、メモリ８７１に所望のチャンネルを設定して該チャンネルを指定する指定信号を送信するリモコン送信器１０にて動作を制御することが可能である。
【００５５】
照明装置１００のチャンネル切り替えは、リモコン送信器１０からのチャンネル切替信号により行われる。チャンネル切替信号は、リモコン送信器１０の「入」スイッチ１３を長押し操作（例えば３秒間以上押下）することでリモコン送信器１０の赤外線ＬＥＤ１８から送信される。
【００５６】
以下、照明装置１００のメモリ８７１に設定されるチャンネルの切り替え動作について、図７に示すフロー図のステップ１，２（Ｓｔ．１，２）に基いて説明する。
【００５７】
まず、スタート時では、照明装置１００のメモリ８７１には、チャンネル１が設定されているものとする。
【００５８】
次に、ステップ１にて、制御用マイクロコンピュータ８７は、リモコン受信部３４がリモコン送信機１０から送信されたチャンネル切替信号を受信したか否かを判定する。
【００５９】
リモコン受信部３４がチャンネル切替信号を受信したと判定した場合、ステップ２にて制御用マイクロコンピュータ８７はメモリ８７１に設定されたチャンネルを、チャンネル１からチャンネル２に切り替えて動作を終了する。
【００６０】
チャンネル切替信号を受信しなかったと判定した場合、メモリ８７１に設定されたチャンネルをチャンネル１のまま変更させず動作を終了する。
【００６１】
チャンネル２からチャンネル３への切り替え、及びチャンネル３からチャンネル１への切り替えについても同様の操作により行われる。
【００６２】
なお、本実施の形態に係る照明装置１００は、チャンネル１〜３のいずれか１つのチャンネルを選択できるようにしてあるが、選択できるチャンネル数は３種類に限らず２種類や４種類以上であってもよい。また、チャンネル切替信号によりチャンネルが切り替えられる順番は上記順番に限定されない。
【００６３】
また、リモコン送信器１０による、メモリ８７１に設定されるチャンネルの切り替え方法は、上記「入」スイッチ１１を長押し操作する方法に限定されない。別途照明装置１００のチャンネルを切り替えるための専用のスイッチをリモコン送信器１０に設けてもよいし、「切」スイッチ１２やその他のスイッチ１７を操作すること（例えば長押し操作や２回連続押下する操作等）による方法等であってもよい。
【００６４】
通常、電球型照明装置などの小型の照明装置では、照明装置本体に直接スライドスイッチなどのチャンネル切替スイッチを設けるための物理的な空間が確保しにくいという問題がある。本実施の形態のごとく、リモコン送信器１０により照明装置１００のチャンネルの切り替えを行うことで、上記チャンネル切替スイッチを設けるための空間を必要とすることなく、照明装置１００のチャンネル切り替え操作を行うことが可能となる。
【００６５】
なお、本実施の形態ではリモコン送信器１０により照明装置１００のチャンネルを切り替えているが、本発明に係る照明装置１００のチャンネルの切り替え方法はこれに限らず、チャンネル切替用のスライドスイッチを照明装置１００の本体に直接設ける構成であってもよい。
【００６６】
また、本発明に係る照明装置１００は、リモコン受信部３４が、所望の動作を制御する制御信号と異なる制御信号を受信した場合に、該異なる制御信号を受信したことを報知する報知手段を備える。
【００６７】
以下、上記報知手段について詳細に説明する。
【００６８】
本実施の形態に係る報知手段は、リモコン受信部３４が、照明装置１００を動作信号に基いて所望の動作をさせる制御信号と異なる制御信号を受信した場合、リモコン受信部３４が上記異なる制御信号を受信したことを報知する。
【００６９】
上記「異なる制御信号」とは、例えば、照明装置１００のメモリ８７１に設定されたチャンネルと異なるチャンネルを指定する指定信号を含む制御信号である。より具体的な例としては、リモコン送信器１０の「入」スイッチ１１を押下して送信される照明装置１００を点灯させるための点灯信号を含む制御信号であって、該制御信号に含まれる指定信号が照明装置１００のメモリ８７１に設定されたチャンネル１を指定する指定信号と異なるチャンネル２を指定するために、リモコン受信部３４が該制御信号を受信したとしても、制御用マイクロコンピュータ８７が点灯信号に基いて照明装置１００を点灯させない制御信号である。
【００７０】
以下、照明装置１００のメモリ８７１に設定されたチャンネルと異なるチャンネルを指定する指定信号を含む制御信号を「異なる制御信号」と称して説明する。
【００７１】
リモコン受信部３４が異なる制御信号を受信したときに、照明装置１００は、報知手段として光源モジュール３を点滅動作させることで、使用者にリモコン受信部３４が異なる制御信号を受信したことを報知する。これにより、使用者は、リモコン送信器１０から送信された制御信号が、照明装置１００の所望の動作を制御する制御信号と異なることが認識できる。つまり、リモコン送信器１０の操作により照明装置１００が所望の動作をしない原因がリモコン送信器１０または照明装置１００の故障によるものではなく、使用者がリモコン送信器１０から異なる制御信号を送信したためであることを認識できる。
【００７２】
異なる制御信号を送信したことを認識した使用者は、リモコンチャンネル切替スイッチ１３によりメモリ８７１に設定されたチャンネルを指定する指定信号を含む制御信号に切り替えるか、または「入」スイッチ１１の長押し操作により、メモリ８７１に設定された照明装置１００のチャンネルを切り替えることによって、リモコン送信器１０を操作することで照明装置１００を所望の動作をさせるべく制御することが可能となる。
【００７３】
また、報知手段としての光源モジュール３の点滅動作は、メモリ８７１に設定されたチャンネル番号の数字と同一回数である。例えば、メモリ８７１にチャンネル２が設定されてあるときに、リモコン受信部３４がチャンネル１または３を指定する指定信号を含む制御信号を受信した場合、光源モジュール３は、メモリ８７１に設定されたチャンネル２のチャンネル番号と同一回数である２回点滅動作を行う。
【００７４】
これにより、使用者に照明装置１００のメモリ８７１に設定されてあるチャンネルがチャンネル２であることを瞬時に報知することができ、使用者は直ちに照明装置１００のチャンネルをリモコンチャンネル切替スイッチ１３にて設定された指定信号が指定するチャンネルに切り替えるか、またはリモコンチャンネル切替スイッチ１３の操作によりチャンネル２を指定する指定信号に切り替えることで、リモコン送信器１０の操作により所望の動作を制御することが可能となる。なお、本実施の形態においては、報知手段としての光源モジュール３の点滅回数はメモリ８７１に設定されたチャンネル番号の数字と同一回数であるが、光源モジュール３の点滅回数はメモリ８７１に設定されたチャンネル番号の数字と異なる回数であってもよい。
【００７５】
また、本実施の形態に係る報知手段を動作させる異なる制御信号は、「入」スイッチ１１を押下することで送信される点灯信号を含む制御信号である。
【００７６】
「入」スイッチ１１を押下する際、使用者は照明装置１００が使用されていない消灯状態から照明装置１００を点灯させる場合であるので、照明装置１００に設定されたチャンネルを予め把握していない場合が多い。逆に、「入」スイッチ１１以外の「切」スイッチ１２による消灯やその他のスイッチ１７による調光や調色または照明装置１００の移動等の操作を行う場合においては、すでにリモコン送信器１０にて照明装置１００の光源モジュール３を点灯させた後の点灯状態にて操作することが多く、使用者は照明装置１００に設定されたチャンネルを予め把握していることが多い。換言すると、リモコン送信機１０から送信される指定信号がメモリ８７１に設定されたチャンネルを指定するよう設定されていることが多い。
【００７７】
つまり、「入」スイッチ１１を押下するときは使用者が照明装置１００に設定されたチャンネルを予め把握していない確率が比較的高いので、異なる制御信号が送信される確率が比較的高くなると言える。従って、点灯信号を含む異なる制御信号により報知手段を動作させることで、より高い確率で使用者に異なる制御信号を送信したことを認識させることができる。
【００７８】
さらに、報知手段は、リモコン受信部４３が、消灯信号、調光信号、調色信号等の、光源モジュール３を点灯させる点灯信号以外の動作信号を含む異なる制御信号を受信した場合には、報知しない。
【００７９】
上述したように、点灯信号以外の、消灯信号、調光信号、調色信号や、照明装置１００を移動させる信号等の動作信号を含み、すでにリモコン送信器１０にて照明装置１００を点灯した後で送信されることが多い制御信号を送信する場合には、使用者は照明装置１００に設定されたチャンネルを予め把握していることが多い。
【００８０】
つまり、照明装置１００が点灯している状態において上記点灯信号以外の制御信号が送信されるときには、照明装置１００に設定されたチャンネルを指定する指定信号を含む制御信号が正しく送信され、使用者が意図した通りリモコン送信器１０にて所望の動作を制御できる場合が多いので、報知手段の必要性が低いと言える。
【００８１】
一方、仮に点灯信号以外の動作信号を含む異なる制御信号にて報知手段が報知するように設定されている場合、照明装置１００の近傍に設置され、照明装置１００と設定されたチャンネルが異なる照明装置を制御しようとして送信された点灯信号以外の動作信号を含む制御信号を、リモコン受信部４３が誤受信したときに、不必要に光源モジュール３を点滅動作させることになり、使用者に煩わしさを与える。
【００８２】
このため、点灯信号を含む異なる制御信号により報知手段を動作させ、点灯信号以外の動作信号を含む異なる制御信号を受信したときには、たとえ指定信号が異なっていたとしても報知手段による報知をしないようにすることが望ましい。これにより、使用者に煩わしさを与えず、かつ利便性を損なわずに報知手段にて報知することが可能となる。
【００８３】
なお、本実施の形態では、点灯信号以外の動作信号を含む異なる制御信号により報知手段が動作しない例について説明しているが、本発明に係る照明装置１００は、点灯信号以外の動作信号を含む異なる制御信号により報知手段が動作するように設定してあってもよい。
【００８４】
また、報知手段を動作させる異なる制御信号は、光源モジュール３が点灯中には報知手段により報知しない。
【００８５】
上述したように、照明装置１００が点灯中は、使用者はすでに照明装置１００をリモコン送信器１０からの点灯信号により点灯させた後であることが多いので、照明装置１００に設定されたチャンネルを予め把握していることが多く、報知手段の必要性が低いと言える。
【００８６】
従って、点灯中の照明装置１００の近傍に設置され、照明装置１００と設定されたチャンネルが異なる照明装置を制御しようとして送信された異なる制御信号を、リモコン受信部４３が誤受信したときに、照明装置１００が不必要に光源モジュール３を点滅動作させるという煩わしさを防止すべく、照明装置１００が点灯中には報知手段により報知しないことが望ましい。
【００８７】
なお、本実施の形態では、照明装置１００の光源モジュール３が点灯中においては報知手段が動作しない例について説明しているが、本発明に係る照明装置１００は、光源モジュール３が点灯中であっても報知手段が動作するように設定してあってもよい。
【００８８】
次に、リモコン送信器１０による照明装置１０の制御の一例について、図８に示すフロー図のステップ３〜６（Ｓｔ．３〜６）に基いて説明する。ここでは、「入」スイッチ１１を押下して出力された点灯信号による動作の一例について説明する。
【００８９】
ステップ３にて、リモコン受信部３４がリモコン送信器１０の「入」スイッチ１１を押下して送信された点灯信号を含む制御信号を受信する。リモコン受信部３４は受信した点灯信号を含む制御信号を制御用マイクロコンピュータ８７に出力する。
【００９０】
次にステップ４にて、制御用マイクロコンピュータ８７は、リモコン受信部３４から受信した制御信号に含まれる指定信号が指定するチャンネルが、制御用マイクロコンピュータ８７のメモリ８７１に設定されたチャンネルと一致するか判定する。
【００９１】
一致した際には、ステップ５に示すように照明装置１００の光源モジュール３は点灯する。一致しない場合、つまり指定信号が指定するチャンネルがメモリ８７１に設定されたチャンネルと異なる場合にはステップ６に示すように、制御用マイクロコンピュータ８７は、リモコン受信部３４が所望の動作を制御する制御信号と異なる制御信号を受信したことを報知する報知手段として、光源モジュール３を点滅動作させる。つまり、間欠的に光源モジュール３の点消灯を繰り返す。また、このとき制御用マイクロコンピュータ８７は、点灯信号に基いて光源モジュール３を点灯させない。
【００９２】
このとき、ステップ６において、報知手段として光源モジュール３を点滅動作させる回数は、メモリ８７１に設定されたチャンネル番号の数字と同一回数である。例えばメモリ８７１に設定されたチャンネルがチャンネル３である場合、光源モジュール３は、「チカ、チカ、チカ」と３回点滅動作を行う。
【００９３】
次に、図８のフロー図に示した動作と異なる、リモコン送信器１０による照明装置１０の制御の他の例について、図９に示すフロー図のステップ７〜１２（Ｓｔ．７〜１２）に基いて説明する。
【００９４】
図９のフロー図では、制御信号の動作信号が点灯信号以外である場合も含み、さらに、上記した点灯信号以外の動作信号を含む異なる制御信号を受信した場合および照明装置１００が点灯中である場合において報知手段を動作させない例について説明する。
【００９５】
まず、ステップ７にてリモコン受信部３４は、リモコン送信器１０からの制御信号を受信し、受信した制御信号を制御用マイクロコンピュータ８７に出力する。
【００９６】
次にステップ８にて、制御用マイクロコンピュータ８７は、リモコン受信部３４から受信した制御信号に含まれる指定信号が指定するチャンネルが、メモリ８７１に設定されたチャンネルと一致するか判定する。
【００９７】
一致した際には、ステップ９に示すように制御用マイクロコンピュータ８７は制御信号に含まれる動作信号に基き、照明装置１００の動作を制御する。
【００９８】
一致しない場合には、ステップ１０に示すように制御用マイクロコンピュータ８７は制御信号に含まれる動作信号が点灯信号以外の信号であるかどうかを判定する。受信した動作信号が点灯信号以外の、消灯信号や調光信号等である場合には、制御用マイクロコンピュータ８７は何も動作させずに終了する。
【００９９】
受信した動作信号が点灯信号である場合には、ステップ１１に示すように制御用マイクロコンピュータ８７は照明装置１００の光源モジュール３が点灯中であるかどうかを判定する。光源モジュール３が点灯中である場合には、制御用マイクロコンピュータ８７は何も動作させずに終了する。
【０１００】
光源モジュール３が点灯中でない場合には、ステップ１２に示すように制御用マイクロコンピュータ８７は異なる制御信号を受信したことを報知手段にて報知する。具体的には、報知手段として、メモリ８７１に設定されたチャンネル番号の数字と同一回数光源モジュール３を点滅動作させる。
【０１０１】
このようにして、使用者は、照明装置１００のメモリ８７１に設定されたチャンネルとリモコン送信器１０の指定信号のチャンネルが異なるために使用者がリモコン送信機１０により意図した所望の動作が制御できない場合であっても、報知手段によりリモコン送信器１０の指定信号が指定するチャンネルが異なることが瞬時に認識できる。
【０１０２】
しかも、報知手段を光源モジュール３の点滅動作にすることにより、新たに報知手段として主光源と異なる別光源を設ける必要がなく、照明装置１００の小型化および部品点数増加防止によるコスト削減に寄与する。
【０１０３】
なお、本実施の形態では報知手段に用いる光源は照明光を出射する主光源である光源モジュール３であるが、光源モジュール３以外の報知手段専用の光源を設けても良い。
【０１０４】
また、点滅動作の回数をメモリ８７１に設定されたチャンネル番号の数字と同一回数にすることで、使用者は、メモリ８７１に設定されたチャンネル番号を瞬時に知ることができ、リモコンチャンネル切替スイッチ１０３のチャンネルの切り替えを迅速かつ正確に行うことができる。
【０１０５】
なお、本実施の形態においては、報知手段を光源モジュール３の点滅動作として説明したが、報知手段は光源モジュール３の点滅動作に限らず、光源モジュール３からの出射光の色温度を変化させる方法や、音や振動等による報知であってもよい。音により報知する場合は、例えば「ピ、ピ、ピ」と３回音を鳴らすことによって照明装置１００にチャンネル３が設定されていることを報知できる。
【０１０６】
また、以上説明した、報知手段を動作させる異なる制御信号は、メモリ８７１に設定されたチャンネルと異なるチャンネルを指定する指定信号を含む制御信号に限定されない。本発明に係る報知手段は、照明装置１００の所望の動作を制御する制御信号と異なる制御信号を受信したときに動作すればよい。例えば、報知手段は、照明装置１００と異なる照明装置やその他の電子機器を制御するためのリモコン送信機からの制御信号を受信したときに報知してもよい。また、報知手段は、指定信号を含まない制御信号を送信するリモコン送信器からの制御信号を受信したときに報知するようにしてもよい。
【０１０７】
以上説明した報知手段により、使用者は、リモコン送信器から送信された制御信号が、照明装置の所望の動作を制御する制御信号と異なることが容易に認識できる。
【０１０８】
次に、本発明に係るリモコン送信器１０の人感センサ１４による制御について説明する。
【０１０９】
本発明に係るリモコン送信器１０は、人感センサ１４を備える。人感センサ１４は、焦電センサを備え検出範囲内にある温度変化を、赤外線を利用して検知する。これにより、検出範囲内で赤外線を発する人が動いたときに温度変化を検知し、人の存在を検知することが可能である。
【０１１０】
本発明に係る人感センサ１４は、検出範囲内に人の存在を検知したときに、自動的にリモコン送信器１０の赤外線ＬＥＤ１８から点灯信号を含む制御信号を送信させるために設けられてある。例えば、照明装置１００とリモコン送信器１０とが設置された部屋に人が入ってきたときに、リモコン送信器１０が人の存在を検知して自動的に照明装置１００に点灯信号を含む制御信号を送信して、該制御信号を受信した照明装置１００が点灯する。これにより、人がリモコン送信器１０を探して直接操作して点灯させる手間をかけることなく、自動的に照明装置１００が点灯するので、利便性に資する。
【０１１１】
また、人感センサ１４を利用した照明装置１００の自動点灯は、トイレ等の一時的に人が出入りする空間において人が存在する時間だけ点灯させることで電力を節約するために用いられることが多い。従って、照明装置１００の制御用マイクロコンピュータ８７は、リモコン受信部３４が、人感センサ１４の動作によって送信された制御信号を受信した場合には、照明装置１００の点灯後、一定時間後（例えば１０分後）に自動的に消灯するように制御することが好ましい。なお、直接「入」スイッチ１１を押下することで送信された制御信号を受信した場合には、自動的に消灯させずに点灯状態を維持することで点灯動作の制御を状況に応じて使い分けることが可能である。
【０１１２】
また、本発明に係るリモコン送信器１０は、人感センサ１４が人を検知したときに自動的に点灯信号の送信を実施する人感センサオンモードと、実施しない人感センサオフモードとを人感切替スイッチ１５により切替ことが可能である。これにより、照明装置１００が設置された部屋に人が入ってくるまでは人感センサオンモードとして人感センサ１４が人を検知したときに照明装置１００が自動的に点灯するようにし、該点灯後は人感センサ１４により自動的に点灯させる必要がないので、人感切替スイッチ１５を押下して人感センサオフモードに切替えることが可能である。不必要に人感センサ１４が作動して点灯信号が送信されることがないので、リモコン送信器１０の電力を節約することができる。
【０１１３】
さら、就寝時など、人感センサ１４により自動的に照明装置１００を点灯させたくないときにも、人感切替スイッチ１５を押下して人感センサオフモードにすることで人感センサ１４の動作を停止させることができる。
【０１１４】
しかしながら、人感センサオフモードにしたままで、照明装置１００を消灯し、使用者が部屋を出てから再度部屋に入る際に、人感センサ１４が作動せず照明装置１００を点灯させるためにリモコン送信器１０を探す必要が生じる場合がある。
【０１１５】
本発明に係るリモコン送信器１０は、表示用ＬＥＤ１６を備え、人感センサオフモードにおいて人感センサ１４が人の存在を検知したときには、表示用ＬＥＤ１６が点灯するようにしてある。これにより、たとえ人感センサオフモードで照明装置１００が自動的に点灯せずリモコン送信器１０を探索する必要がある場合であっても、表示用ＬＥＤ１６が人の存在を検知した人感センサ１４により点灯させられるので、使用者は、暗闇の中であっても容易にリモコン送信器１０の所在を知ることができる。
【０１１６】
また、本発明に係るリモコン送信器１０は、振動センサを搭載してあることが好ましい。該振動センサは、地震などにより振動を検知した際に自動的に点灯信号を含む制御信号を赤外線ＬＥＤ１８から送信させる。これにより、人感センサ１４が人の存在を検知していなくても地震が起こった際には自動的に照明装置１００を点灯させることが可能である。地震発生時は避難のために視界を良好にすることが望ましいので、制御用マイクロコンピュータ８７はリモコン受信部３４が振動センサの動作によって送信された制御信号を受信した場合には、消灯前の調光率の設定にかかわらず１００％の調光率で光源モジュール３を点灯させるようにしてある。
【０１１７】
次に、本発明に係る照明装置１００が、点灯信号を含む制御信号を受信した場合の動作について図１０に示すフロー図のステップ１３〜２０（Ｓｔ．１３〜２０）に基き説明する。なお、以下の動作の説明では、制御信号に含まれる指定信号は照明装置１００に設定されたチャンネルを指定するものとする。また照明装置１００は動作スタート時は消灯状態であるものとする。
【０１１８】
まず、ステップ１３にてリモコン受信部３４は、リモコン送信器１０から送信された点灯信号を含む制御信号を受信する。
【０１１９】
そしてステップ１４にて制御用マイクロコンピュータ８７は、受信した点灯信号が振動センサの動作によって送信された点灯信号かどうかを判定する。振動センサの動作により送信された点灯信号と判定した場合には、ステップ１５に示すように制御用マイクロコンピュータ８７は光源モジュール３を１００％の調光率で点灯させる。
【０１２０】
振動センサの動作により送信された点灯信号でないと判定した場合、ステップ１６に示すように制御用マイクロコンピュータ８７は、人感センサ１４の動作により送信された点灯信号か判定する。
【０１２１】
そうでないと判定した場合には、ステップ１７に示すように「入」スイッチ１１を押下して送信された点灯信号であると判定して光源モジュール３を消灯前の調光率で点灯させる。
【０１２２】
人感センサ１４の動作により送信された点灯信号であると判定した場合には、ステップ１８にて光源モジュール３を徐々に明るく点灯させる。
【０１２３】
次にステップ７にて点灯後１０分経過したかを判定する。否である場合ステップ１９に戻る。
【０１２４】
１０分経過したと判定した後、ステップ２０にて光源モジュール３を消灯させて動作を終了する。
【０１２５】
以上説明した本実施の形態に係る照明装置１００は、電球型照明装置を例示して説明したが、本発明に係る照明装置は、電球型の照明装置に限らず、シーリングライト、ダウンライト等様々な形態の照明装置に適用が可能である。
【０１２６】
しかし、本発明は、上記照明装置のチャンネル切替用スイッチ、報知手段専用の光源、人感センサ等を設けるための空間を照明装置本体に形成することが困難な小型の照明装置である電球型照明装置に適用することが特に好適である。
【符号の説明】
【０１２７】
３  光源モジュール
８  電源回路
８７  制御用マイクロコンピュータ
８７１  メモリ
１０  リモコン送信機
１４  人感センサ
【図１】
2012221624.tif 000003
【図２】
2012221624.tif 000004
【図３】
2012221624.tif 000005
【図４】
2012221624.tif 000006
【図５】
2012221624.tif 000007
【図６】
2012221624.tif 000008
【図７】
2012221624.tif 000009
【図８】
2012221624.tif 000010
【図９】
2012221624.tif 000011
【図１０】
2012221624.tif 000012